(57)【特許請求の範囲】
【請求項１】
屋外空間と屋内空間とを区画する既存の壁体の屋内側の壁面の上端側及び下端側にそれぞれ沿わせるように略水平に上下の横桟木を設け、前記上側の横桟木の下面に、前記壁面に沿わせるように設けた複数の縦桟木の上端部をそれぞれに受け入れる複数の凹部を設け、これら上下の横桟木及び縦桟木の前面側に断熱パネルを固定した構造とされ、
前記縦桟木と前記上下の横桟木との上下の接合部の両方または一方に吸湿材を設けたことを特徴とする断熱パネルの固定構造。
【請求項２】
請求項１において、
前記上側の横桟木の凹部のそれぞれは、前記断熱パネルの幅寸法に応じた間隔を空けて設けられており、
前記上側の横桟木の凹部に上端部が受け入れられた縦桟木の前面側に隣り合う断熱パネル同士の側端部を位置させるように前記断熱パネルを固定したことを特徴とする断熱パネルの固定構造。
【発明の詳細な説明】
【技術分野】
【０００１】
本発明は、既存の壁体の屋内側の壁面に沿わせるように配設される断熱パネルの固定構造に関する。
【背景技術】
【０００２】
従来より、住居等の建物の断熱性を向上させる方法としては、建物の屋外空間と屋内空間とを区画する壁体の外側に断熱部材を施工する外張断熱工法や、上記壁体の内部に断熱材を施工する充填断熱工法が知られているが、これらの断熱工法には大掛かりな工事が必要であった。
例えば、下記特許文献１では、基礎上に建て込まれた柱や間柱等の構造材の室内側に断熱パネルを固定する内張断熱構造物の施工方法が提案されている。しかしながら、このような施工方法は、建物を建築する段階において採用されるものであるため、建物の断熱性を向上させるべく、屋外空間と屋内空間とを区画する既存の壁体の屋内側に断熱パネルを固定する場合には採用し難いものであった。
【先行技術文献】
【特許文献】
【０００３】
【特許文献１】特開２００７−８５１３１号公報
【発明の概要】
【発明が解決しようとする課題】
【０００４】
また、上記のように既存の壁体の屋内側に断熱パネルを固定する場合には、既存の壁体内に設けられた間柱を利用して断熱パネルを固定することが考えられる。しかしながら、この場合には、断熱パネルの幅寸法を、間柱のピッチに応じた寸法にする必要があり、汎用性の観点等から更なる改善が望まれる。また、断熱パネルの幅寸法を、間柱のピッチに応じた寸法に切断することも考えられるが、手間が掛かり、また、断熱パネルの構造によっては切断自体が困難となることも考えられる。また、このような間柱のピッチに依存せずに断熱パネルを既存の壁体の屋内側に固定する構造としては、例えば、大判の合板等を間柱に対して固定し、その前面側に断熱パネルを固定することが考えられる。しかしながら、この場合には、スペースに制約のある施工現場において大判の合板等の切断加工を行う必要があり、作業性の観点等から更なる改善が望まれていた。
【０００５】
本発明は、上記実情に鑑みてなされたものであり、既存の壁体の屋内側に配設される断熱パネルの施工性を向上し得る断熱パネルの固定構造を提供することを目的とする。
【課題を解決するための手段】
【０００６】
上記目的を達成するために、本発明に係る断熱パネルの固定構造は、屋外空間と屋内空間とを区画する既存の壁体の屋内側の壁面の上端側及び下端側にそれぞれ沿わせるように略水平に上下の横桟木を設け、前記上側の横桟木の下面に、前記壁面に沿わせるように設けた複数の縦桟木の上端部をそれぞれに受け入れる複数の凹部を設け、これら上下の横桟木及び縦桟木の前面側に断熱パネルを固定した構造とされ、前記縦桟木と前記上下の横桟木との上下の接合部の両方または一方に吸湿材を設けたことを特徴とする。
【０００７】
本発明においては、前記上側の横桟木の凹部のそれぞれは、前記断熱パネルの幅寸法に応じた間隔を空けて設けられており、前記上側の横桟木の凹部に上端部が受け入れられた縦桟木の前面側に隣り合う断熱パネル同士の側端部を位置させるように前記断熱パネルを固定してもよい。
【発明の効果】
【０００８】
本発明に係る断熱パネルの固定構造によれば、既存の壁体の屋内側に配設される断熱パネルの施工性を向上させることができる。
【図面の簡単な説明】
【０００９】
【図１】（ａ）、（ｂ）は、いずれも本発明の一実施形態に係る断熱パネルの固定構造の一例を模式的に示し、（ａ）は、同断熱パネルの固定構造の一部破断概略正面図、（ｂ）は、図１（ａ）のＡ−Ａ線矢視に対応させた一部破断概略縦断面図である。
【図２】（ａ）、（ｂ）は、いずれも同断熱パネルの固定構造の施工手順の一例を模式的に示す一部破断概略正面図である。
【図３】（ａ）は、本発明の他の実施形態に係る断熱パネルの固定構造の一例の施工手順の一例を模式的に示す一部破断概略正面図、（ｂ）は、同断熱パネルの固定構造の一部破断概略正面図である。
【図４】同断熱パネルの固定構造の一変形例を模式的に示す図３のＸ部に対応させた概略正面図である。
【発明を実施するための形態】
【００１０】
以下に本発明の実施の形態について、図面に基づいて説明する。
図１及び図２は、第１実施形態に係る断熱パネルの固定構造の一例を模式的に示す図である。
本実施形態に係る断熱パネルの固定構造１は、図１に示すように、屋外空間Ａと屋内空間Ｂとを区画する既存の壁体２の屋内側の壁面２ａの上端側及び下端側にそれぞれ沿わせるように略水平に上下の横桟木１０，１４を設けた構造とされている。
また、断熱パネルの固定構造１は、壁面２ａに沿わせるように複数の縦桟木１６を設け、これら上下の横桟木１０，１４及び縦桟木１６の前面側に断熱パネル１８を固定した構造とされている。
既存の壁体２としては、一般的な鉄骨造や、木造軸組構造、木造枠組壁構造等からなる壁体２としてもよい。
このような既存の壁体２は、図２（ａ）に示すように、一般的に、その内部に、左右方向に所定の間隔（ピッチ）を隔てて壁下地としての間柱６（スタッド）等が設けられており、これら間柱６の屋内側（前面側）に、壁面２ａを構成する石膏ボード等の壁面材が設けられた構造とされている。
【００１１】
断熱パネル１８は、略矩形平板状とされており、複数枚を横並びに隣接させて、既存の壁体２の壁面２ａを略覆うように、壁面２ａの左右方向の略全域に亘って配設されている。また、これら複数枚の断熱パネル１８は、互いに略同幅寸法とされている。なお、壁体２の壁面２ａの左右寸法に応じて、例えば、複数枚の断熱パネル１８のうちの一枚の幅寸法を他の断熱パネル１８の幅寸法と異ならせたものとしてもよい。
これら隣り合う断熱パネル１８，１８は、互いに向き合う側端部１８ａ，１８ａを当接させるように配設されている。なお、これら隣り合う断熱パネル１８，１８は、互いに向き合う側端部１８ａ，１８ａ同士を密着させることが好ましいが、施工誤差や加工誤差等に起因して、これらの間に隙間が生じることが考えられ、図１（ａ）及び図４（ａ）では、この隙間を誇張して図示している。
また、これら断熱パネル１８を、その上端面を天井３に当接させるように、かつ、その下端面を床４に当接させるように配設した例を示している。
【００１２】
また、断熱パネル１８は、例えば、表裏の面材と、これらの各対向面の四周端部に沿うように設けられた枠材と、これら四周枠材内に充填、収容された断熱材と、を備えた構造とされたものとしてもよい。
なお、断熱パネル１８の表裏の面材や枠材としては、木質系材料や、石膏ボード等の無機質系材料等から形成されたものとしてもよい。
また、断熱パネル１８の断熱材としては、各種フォーム系（発泡系）断熱材や繊維系断熱材等を採用してもよく、または、例えば、グラスファイバー等の繊維で芯材を形成し、その芯材を金属フィルム等の包装材で外装して真空吸引することにより形成された真空断熱材を採用してもよい。
【００１３】
上桟木（上側の横桟木）１０は、側面視略矩形状で比較的に長尺の略帯板状体とされている。また、上桟木１０は、図１（ｂ）に示すように、その上面を天井３に当接または近接させるように配設されている。また、上桟木１０は、壁体２の壁面２ａの左右方向の略全幅に亘って配設されている。
また、上桟木１０の下面（下桟木（下側の横桟木）１４に対向する面）に、下桟木１４側に向けて開口するように複数の凹部１１を設けている。凹部１１は、縦桟木１６の上端部１７を受け入れる構造とされ、その幅寸法（左右寸法）が縦桟木１６の幅寸法（左右寸法）と略同寸法とされている。
また、これら凹部１１は、上桟木１０の下面に、当該上桟木１０の長手方向に沿って略等間隔を空けて設けられている。本実施形態では、これら凹部１１のそれぞれを、断熱パネル１８の幅寸法に応じた間隔を空けて上桟木１０に設けている。
下桟木１４は、側面視略矩形状で比較的に長尺の略帯板状体とされている。また、下桟木１４は、図１（ｂ）に示すように、その下面を床４に当接または近接させるように配設されている。また、下桟木１４は、壁体２の壁面２ａの左右方向の略全幅に亘って配設されている。
これら上桟木１０及び下桟木１４は、図１（ｂ）及び図２（ａ）に示すように、釘やねじ等の固定止具５によって、上記のように既存の壁体２内に設けられた間柱６に対して固定するようにしてもよい。また、固定止具５に加えて、これら上桟木１０及び下桟木１４を、接着剤等によって壁体２の壁面２ａに固定するようにしてもよい。また、これら上桟木１０及び下桟木１４は、壁体２の壁面２ａの左右方向の幅寸法に応じた長さ寸法とされたものとしてもよく、または、複数本を左右に隣接させたものとしてもよい。
【００１４】
縦桟木１６は、平面視略矩形状で比較的に長尺の略帯板状体とされている。また、縦桟木１６は、図１（ｂ）に示すように、既存の壁体２の壁面２ａに沿うように、また、上下の横桟木１０，１４を接続するように設けられている。
縦桟木１６は、その下端面を下桟木１４の上面に当接させ、かつ、その上端部１７を上桟木１０の凹部１１に嵌め込み、上下の横桟木１０，１４を接続するように配設されている。また、上桟木１０に設けられた複数の凹部１１のそれぞれに複数の縦桟木１６のそれぞれの上端部を嵌め込み、これら縦桟木１６を左右方向に略等間隔を空けて配設している。
なお、縦桟木１６の上端面と凹部１１の凹底面（下方に向く面）との間に、各桟木１０，１４，１６の施工誤差や加工誤差等、または、これら各桟木１０，１４，１６の固定対象に生じた不陸等に起因して間隙が生じることが考えられ、図１、図２（ｂ）、図３及び図４では、この間隙を誇張して図示している。
【００１５】
これら縦桟木１６は、上記した壁体２の壁面材等に対して、接着剤やタッカー等を用いて固定するようにしてもよい。
また、これら複数の縦桟木１６、上桟木１０及び下桟木１４の厚さ寸法は、互いに略同寸法とされている。これら複数の縦桟木１６、上桟木１０及び下桟木１４の厚さ寸法は、屋内空間を有効利用する観点や、後記するように断熱パネル１８の固定対象となる上下の桟木１０，１４に対する固定止具５の保持強度の観点等から適宜、設定するようにしてもよい。例えば、このような観点等から、これら複数の縦桟木１６、上桟木１０及び下桟木１４の厚さ寸法を、一般的な壁下地としての胴縁等よりも薄い３ｍｍ〜２０ｍｍ程度、好ましくは、３ｍｍ〜１０ｍｍ程度としてもよい。
また、これら縦桟木１６、上桟木１０及び下桟木１４は、木質系材料や合成樹脂系材料等から形成されたものとしてもよい。
【００１６】
このような構造とされた上下の横桟木１０，１４及び縦桟木１６の前面側に複数枚の断熱パネル１８を固定している。これら断熱パネル１８は、図１（ｂ）に示すように、その裏面を上下の横桟木１０，１４及び縦桟木１６の前面に当接させ、釘やねじ等の固定止具５によって、上下の横桟木１０，１４に対して固定してもよい。また、固定止具５に加えて、これら断熱パネル１８を、接着剤等によって上下の横桟木１０，１４に固定するようにしてもよい。
また、本実施形態に係る断熱パネルの固定構造１では、複数枚の断熱パネル１８，１８を、上桟木１０の各凹部１１にそれぞれの上端部が受け入れられた複数の縦桟木１６のそれぞれの前面側に、隣り合う断熱パネル１８，１８同士の側端部１８ａ，１８ａを位置させるように、固定している。
【００１７】
次に、上記構成とされた本実施形態に係る断熱パネルの固定構造１の施工手順の一例について説明する。
まず、図２（ａ）に示すように、上下の横桟木１０，１４を、上記のように天井３及び床４にそれぞれ沿わせるように、既存の壁体２の壁面２ａに沿わせて固定する。
次いで、図２（ｂ）に示すように、複数の縦桟木１６を、上記のように、上桟木１０の各凹部１１にそれぞれの上端部１７を嵌め込ませ、上下の横桟木１０，１４を接続するようにそれぞれ配設する。
次いで、複数枚の断熱パネル１８，１８を、図１に示すように、上記のように、これら上下の横桟木１０，１４及び複数の縦桟木１６の前面側に固定する。
【００１８】
上記構成とされた本実施形態に係る断熱パネルの固定構造１によれば、既存の壁体２の屋内側に配設される断熱パネル１８の施工性を向上させることができる。
つまり、屋外空間Ａと屋内空間Ｂとを区画する既存の壁体２の屋内側の壁面２ａの上端側及び下端側にそれぞれ沿わせるように略水平に上下の横桟木１０，１４を設け、これら上下の横桟木１０，１４を接続するように壁面２ａに沿わせて複数の縦桟木１６を設け、これら上下の横桟木１０，１４及び縦桟木１６の前面側に断熱パネル１８を固定した構造としている。従って、上下の横桟木１０，１４を既存の壁体２の間柱６に固定し、これら上下の横桟木１０，１４に断熱パネル１８の上下端部を固定することができる。これにより、断熱パネル１８を切断したり、捨て張り合板等を設ける必要がなく、断熱パネル１８の施工性を向上させることができる。また、上下の横桟木１０，１４を接続するように縦桟木１６を設けているので、縦桟木１６がスペーサとなり、断熱パネル１８の上下方向途中部位の変形等を抑制することができる。
なお、断熱パネル１８は、上下の横桟木１０，１４に加えて、縦桟木１６に対しても接着剤や固定止具等によって固定するようにしてもよい。これにより、断熱パネル１８の安定性を向上させることができる。
【００１９】
また、上桟木１０の下面に、複数の縦桟木１６の上端部１７をそれぞれに受け入れる複数の凹部１１を設けている。従って、これら凹部１１に複数の縦桟木１６の各上端部１７を嵌め込むようにして、これら縦桟木１６を施工することができ、これら縦桟木１６の位置合わせを容易に行うことができ、施工性を向上させることができる。
また、これら凹部１１によって、これら縦桟木１６の上下端部と上下の横桟木１０，１４との間に間隙を生じ難くすることができる。つまり、このような凹部１１を設けない場合には、上下の横桟木１０，１４と、縦桟木１６の上下端部との間に、これら各桟木１０，１４，１６の施工誤差や加工誤差等、または、これら各桟木１０，１４，１６の固定対象に生じた不陸等に起因して間隙が生じることが考えられる。本実施形態によれば、縦桟木１６の下端を下桟木１４に当接させ、縦桟木１６の上端部１７を上桟木１０の凹部１１に嵌め込むように収容させることができるので、凹部１１によって施工誤差や加工誤差等を吸収することができ、上記のような間隙を生じ難くすることができる。この結果、隣り合う断熱パネル１８，１８同士の接合部に隙間が生じているような場合にも、断熱パネル１８の裏面側への水蒸気の流入を抑制することができ、断熱パネル１８の裏面側における結露の発生を抑制することができる。
つまり、断熱パネル１８，１８同士の接合部に隙間が生じているような場合において、縦桟木１６の上下端部と上下の横桟木１０，１４との間に間隙が生じているような場合には、桟木間の間隙を介して空気が対流し易くなることが考えられ、この結果、接合部の隙間から断熱パネル１８の裏面側へ水蒸気が流入し易くなる。本実施形態によれば、断熱パネル１８の裏面側の桟木間の間隙を生じ難くすることができるので、断熱パネル１８の裏面側において空気の対流が生じ難くなり、断熱パネル１８の裏面側への水蒸気の流入を生じ難くすることができる。
【００２０】
また、本実施形態では、上桟木１０の各凹部１１を、各断熱パネル１８の幅寸法に応じた間隔を空けて設け、これら凹部１１に上端部１７がそれぞれに受け入れられた縦桟木１６の前面１６ａ側に、隣り合う断熱パネル１８，１８同士の側端部１８ａ，１８ａを位置させるように複数枚の断熱パネル１８，１８を固定している。つまり、縦桟木１６の前面側に隣り合う断熱パネル１８，１８の接合部が位置することとなる。従って、断熱パネル１８の幅方向両側端部１８ａ，１８ａにそれぞれ応じた縦桟木１６を設けた場合と比べて、構造の簡略化を図ることができる。また、例えば、縦桟木１６を断熱パネル１８の幅方向途中位置等に設けた場合と比べて、断熱パネル１８の側端部１８ａ，１８ａにおける浮きや変形等を抑制することができる。
また、隣り合う断熱パネル１８，１８の接合部の裏面側に縦桟木１６が位置することとなるので、断熱パネル１８，１８間に隙間が生じているような場合にも、断熱パネル１８の裏面側への水蒸気の流入をより効果的に抑制することができる。
【００２１】
次に、本発明に係る他の実施の形態について、図面を参照しながら説明する。
図３は、第２実施形態に係る断熱パネルの固定構造の一例を模式的に示す図である。
なお、上記第１実施形態との相違点について主に説明し、同様の構成については、同一符号を付し、その説明を省略または簡略に説明する。
本実施形態に係る断熱パネルの固定構造１Ａは、上下の横桟木１０Ａ，１４Ａの構造が、上記第１実施形態に係る断熱パネルの固定構造１とは主に異なる。
断熱パネルの固定構造１Ａは、縦桟木１６と上下の横桟木１０Ａ，１４Ａとの上下の接合部の両方または一方に吸湿材１９を設けている。
図例では、縦桟木１６と上下の横桟木１０Ａ，１４Ａとの上下の接合部の両方に吸湿材１９，１９をそれぞれに設けた例を示している。また、図例では、上下の横桟木１０Ａ，１４Ａに、それぞれ吸湿材１９、１９を設けた例を示している。
【００２２】
上桟木１０Ａには、図３（ａ）に示すように、それぞれの凹部１１Ａの凹底面（下方に向く面）側に、吸湿材１９を収容させた吸湿材収容凹部１２を設けている。
また、下桟木１４Ａには、その上面に、上方に向けて開口し、吸湿材１９を収容させた吸湿材収容凹部１５を複数設けている。これら吸湿材収容凹部１５は、上桟木１０Ａのそれぞれの凹部１１Ａの直下に位置するように、下桟木１４Ａの長手方向に沿って互いに略等間隔を空けて設けられている。
【００２３】
吸湿材１９は、例えば、粒状の吸湿剤を、透湿性を有した袋状や箱状の収容体に充填、収容させた構成とされたものとしてもよい。このような粒状の吸湿剤としては、例えば、シリカゲルやゼオライト等の無機系吸湿剤や、合成高分子系吸湿剤等の有機系吸湿剤等を採用するようにしてもよい。また、吸湿剤としては、乾燥等させることで、再吸湿可能とされたものとしてもよい。また、吸湿剤としては、水蒸気を吸放湿可能としたものとしてもよい。
【００２４】
上記構成とされた本実施形態に係る断熱パネルの固定構造１Ａにおいても、上記第１実施形態と概ね同様の効果を奏する。
また、本実施形態では、縦桟木１６と上下の横桟木１０Ａ，１４Ａとの上下の接合部の両方または一方に吸湿材１９を設けている。従って、水蒸気が断熱パネル１８の裏面側へ流入した場合でも、吸湿することができ、断熱パネル１８の裏面側における結露の発生をより効果的に抑制することができる。
また、本実施形態においても、縦桟木１６の前面側に隣り合う断熱パネル１８，１８の接合部を位置させている。つまりは、吸湿材１９の前面側に、隣り合う断熱パネル１８，１８の接合部が位置することとなる。従って、上記のように、断熱パネル１８，１８間に隙間が生じているような場合において、縦桟木１６と上下の横桟木１０Ａ，１４Ａとの上下の接合部のうちの吸湿材１９が設けられた接合部を介して断熱パネル１８の裏面側へ流入しようとする水蒸気をこの吸湿材１９によって効果的に吸湿することができる。
また、上記した例では、上下の横桟木１０Ａ，１４Ａの両方に、それぞれ吸湿材１９，１９を設けている。従って、これら上下のそれぞれの吸湿材１９，１９によって水蒸気を吸湿することができ、断熱パネル１８の裏面側における結露の発生をより効果的に抑制することができる。
【００２５】
次に、本実施形態に係る断熱パネルの固定構造１Ａの一変形例について、図４を参照しながら説明する。
なお、上記した例との相違点について主に説明し、同様の構成については、同一符号を付し、その説明を省略または簡略に説明する。
本変形例では、上桟木１０Ｂに設けられた凹部１１Ｂの構造が、上記した例における凹部１１Ａとは主に異なる。
本変形例では、上桟木１０Ｂの凹部１１Ｂの左右内壁面に、互いに向き合う方向に開口するように、かつそれぞれに吸湿材１９，１９を収容させた吸湿材収容凹部１３，１３を設けている。
本変形例に係る断熱パネルの固定構造１Ｂによれば、上桟木１０Ｂの凹部１１Ｂに上端部１７が嵌め込まれた縦桟木１６の上端部１７の左右両側に、吸湿材１９，１９をそれぞれに収容させた吸湿材収容凹部１３，１３が位置することとなる。従って、縦桟木１６の左右両側の空間の一方側から、縦桟木１６と上桟木１０Ｂとの接合部を介して、他方側へ移動しようとする水蒸気を効果的に吸湿することができる。
【００２６】
なお、本実施形態では、上下の横桟木１０Ａ（１０Ｂ），１４Ａに吸湿材１９を設けた例を示しているが、この態様に限定されず、縦桟木１６の上端部１７や下端部に吸湿材１９を設けるようにしてもよい。また、この場合、縦桟木１６の上端部１７や下端部に、吸湿材１９を収容させる吸湿材収容凹部を設けるようにしてもよい。
また、本実施形態では、縦桟木１６と上下の横桟木１０Ａ（１０Ｂ），１４Ａとの上下の接合部の両方に吸湿材１９を設けた例を示しているが、この態様に限定されず、縦桟木１６と上下の横桟木１０Ａ（１０Ｂ），１４Ａとの上下の接合部のいずれか一方に吸湿材１９を設けるようにしてもよい。
また、上記各実施形態では、上桟木１０，１０Ａ，１０Ｂの凹部１１，１１Ａ，１１Ｂのそれぞれを、各断熱パネル１８の幅寸法に応じた間隔を空けて設け、隣り合う断熱パネル１８，１８の接合部を、縦桟木１６の前面側に位置させた例を示しているが、この態様に限定されない。例えば、上桟木１０，１０Ａ，１０Ｂの凹部１１，１１Ａ，１１Ｂのそれぞれを、各断熱パネル１８の幅寸法とは異なる等間隔を空けて設けたり、または、互いに異なる間隔を空けて設けたりするようにしてもよい。このようなものでも、断熱パネル１８の施工性を向上させることができ、また、断熱パネル１８の裏面側における結露の発生を抑制することができる。
【符号の説明】
【００２７】
１，１Ａ，１Ｂ              断熱パネルの固定構造
１０，１０Ａ，１０Ｂ        上桟木（上側の横桟木）
１１，１１Ａ，１１Ｂ        凹部
１４，１４Ａ                下桟木（下側の横桟木）
１６                        縦桟木
１７                        上端部
１８                        断熱パネル
１８ａ                      側端部
１９                        吸湿材
２                          壁体
２ａ                        屋内側の壁面
Ａ                          屋外空間
Ｂ                          屋内空間
【図１】
0005812933.tif 000002
【図２】
0005812933.tif 000003
【図３】
0005812933.tif 000004
【図４】
0005812933.tif 000005